【手続補正書】
【提出日】平成31年1月10日(2019.1.10)
【手続補正１】
【補正対象書類名】特許請求の範囲
【補正対象項目名】全文
【補正方法】変更
【補正の内容】
【特許請求の範囲】
【請求項１】
無線非対称ネットワークを提供するためのシステムであって、
無線非対称ネットワークアーキテクチャにおける通信及び電力消費を制御するように構成された無線制御デバイスを有する第１のハブと、
前記無線非対称ネットワークアーキテクチャにおける前記第１のハブの前記無線制御デバイスとの双方向の通信を可能にするための送信機及び受信機を有する無線デバイスをそれぞれが有する第１の複数のセンサノードと、を備え、
前記無線制御デバイスは、前記第１の複数のセンサノードの無線デバイスの電力消費を低減するために、前記第１のハブの周期的なビーコン信号に基づいて、前記第１の複数のセンサノードの各無線デバイスについて、前記送信機が送信ウィンドウの間に無線通信を送信することを可能とし前記受信機が別の受信ウィンドウの間に無線通信を受信することを可能とする第１のスケジュールされたタイミングを用いて定められるタイムスロット定義信号を決定するように構成され、
前記タイムスロット定義信号は前記周期的なビーコン信号から分離されている、
システム。
【請求項２】
前記無線非対称ネットワークを形成するために、前記第１のハブは、商用電源によって電力を供給されており、前記第１の複数のセンサノードは、それぞれバッテリ電源によって電力を供給されており、前記第１のハブ及び前記第１の複数のセンサノードの利用可能な電力の非対称性は、前記第１の複数のセンサノードの送信関連のエネルギー消費を低減するために、低デューティサイクルネットワーキングに基づいて、前記第１の複数のセンサノードの前記無線非対称ネットワークにおけるバッテリ寿命及び通信範囲を向上させるために利用される請求項１に記載のシステム。
【請求項３】
前記第１の複数のセンサノードの各無線デバイスについて、前記送信機の送信動作を可能とし前記受信機の受信動作を可能とする前記第１のスケジュールされたタイミングは、前記周期的なビーコン信号と前記第１の複数のセンサノードの通信との間のタイミングの関係に基づいて決定される請求項１に記載のシステム。
【請求項４】
前記第１のハブは、衝突の検出又は新たなセンサノードの検出に応じて、前記第１の複数のセンサノードの少なくとも２つの無線デバイスについて、前記送信機の送信動作を可能とし前記受信機の受信動作を可能とする異なる第２のスケジュールされたタイミングを決定することにより、衝突防止機能を提供し、前記第１のハブは、最初は前記第１のスケジュールされたタイミングを伴って、その後は、衝突の検出又は新たなノードの検出に応じた第２のスケジュールされたタイミングを伴って、前記周期的なビーコン信号を送信する請求項１に記載のシステム。
【請求項５】
前記無線非対称ネットワークアーキテクチャにおける通信及び電力消費を制御するように構成された無線制御デバイスを有する第２のハブと、
前記無線非対称ネットワークアーキテクチャにおける前記第２のハブの前記無線制御デバイスとの双方向の通信を可能にするための送信機及び受信機を有する無線デバイスをそれぞれ有する第２の複数のノードと、を更に備え、
前記第２の制御デバイスの前記無線制御デバイスは、前記第２の複数のノードの無線デバイスの電力消費を低減するために、前記第２の複数のノードの各無線デバイスについて、前記送信機の送信動作を可能とし前記受信機の受信動作を可能とする第３のスケジュールされたタイミングを決定するように構成されている、
請求項１に記載のシステム。
【請求項６】
前記第２のスケジュールされたタイミングを決定することは、少なくとも一部が理解不能である通信の受信に基づいて、少なくとも１つの理解不能な通信を判定し、その後、前記少なくとも１つの理解不能な通信が、異なるノードから略同時に送信された通信の衝突によって生じた可能性を決定することを含む請求項１に記載のシステム。
【請求項７】
前記無線制御デバイスを有する前記第２のハブは、前記無線非対称ネットワークアーキテクチャの制御及び監視のために、前記第１のハブに通信を送信すると共に前記第１のハブから通信を受信するように構成されている請求項５に記載のシステム。
【請求項８】
無線非対称ネットワークアーキテクチャを提供するための装置であって、
命令を記憶するメモリと、
無線非対称ネットワークにおいて通信を確立及び制御するための命令を実行する１又は複数の処理ユニットと、
前記無線非対称ネットワークにおいて情報を送信及び受信するための無線周波数（ＲＦ）回路であって、前記無線非対称ネットワークにおける当該装置の前記ＲＦ回路との双方向の通信を可能にするための送信機及び受信機を有する無線デバイスをそれぞれが備える第１の複数のセンサノードに対して情報を送信するＲＦ回路と、を備え、
前記１又は複数の処理ユニットは、命令を実行して、
前記第１の複数のセンサノードの無線デバイスの電力消費を低減するために、当該装置の周期的なビーコン信号に基づいて、前記第１の複数のセンサノードの各無線デバイスについて、前記送信機が送信ウィンドウの間に無線通信を送信することを可能とし前記受信機が別の受信ウィンドウの間において無線通信を受信することを可能とする第１のスケジュールされたタイミングを用いて定められるタイムスロット定義信号を決定するように構成され、
前記タイムスロット定義信号は前記周期的なビーコン信号から分離されている、
装置。
【請求項９】
前記無線非対称ネットワークを形成するために、前記装置は、商用電源によって電力を供給されており、前記第１の複数のセンサノードは、それぞれバッテリ電源又は他のエネルギー源によって電力を供給されており、前記装置及び前記第１の複数のセンサノードの利用可能な電力の非対称性は、前記第１の複数のセンサノードの送信関連のエネルギー消費を低減するために、低デューティサイクルネットワーキングに基づいて、前記第１の複数のセンサノードの前記無線非対称ネットワークにおけるバッテリ寿命及び通信範囲を向上させるために利用される請求項８に記載の装置。
【請求項１０】
前記第１の複数のセンサノードの各無線デバイスについて、前記送信機の送信動作を可能とし前記受信機の受信動作を可能とする前記第１のスケジュールされたタイミングは、前記周期的なビーコン信号と前記第１の複数のセンサノードの通信との間のタイミングの関係に基づいて決定される請求項８に記載の装置。
【請求項１１】
前記装置は、衝突の検出又は新たなノードの検出に応じて、前記第１の複数のセンサノードの少なくとも２つの無線デバイスについて、前記送信機の送信動作を可能とし前記受信機の受信動作を可能とする異なる第２のスケジュールされたタイミングを決定することにより、衝突防止機能を提供し、前記装置は、最初は前記第１のスケジュールされたタイミングを伴って、その後は、衝突の検出又は新たなノードの検出に応じた第２のスケジュールされたタイミングを伴って、前記周期的なビーコン信号を送信する請求項８に記載の装置。
【請求項１２】
前記第２のスケジュールされたタイミングを決定することは、少なくとも一部が理解不能である通信の受信に基づいて、少なくとも１つの理解不能な通信を判定し、その後、前記少なくとも１つの理解不能な通信が、異なるノードから略同時に送信された通信の衝突によって生じた可能性を決定することを含む請求項８に記載の装置。
【請求項１３】
無線非対称ネットワークアーキテクチャにおける電力消費を低減するための方法であって、
ハブの処理ロジックによって、前記無線非対称ネットワークアーキテクチャを形成するために前記ハブとの双方向の通信を可能にするための送信機及び受信機を有する無線デバイスをそれぞれが有する第１の複数のセンサノードに周期的なビーコン信号を送信するステップと、
前記ハブの前記処理ロジックによって、前記第１の複数のセンサノードからの通信を受信するステップと、
前記ハブの前記処理ロジックによって、前記第１の複数のセンサノードの無線デバイスの電力消費を低減するために、前記周期的なビーコン信号に基づいて、前記第１の複数のセンサノードの各無線デバイスについて、前記送信機が送信ウィンドウの間に無線通信を送信することを可能とし前記受信機が別の受信ウィンドウの間において無線通信を受信することを可能とする第１のスケジュールされたタイミングを用いて定められるタイムスロット定義信号を決定するステップと、を含み、
前記タイムスロット定義信号は前記周期的なビーコン信号から分離されている、
方法。
【請求項１４】
少なくとも１つの新たなノードから通信を最初に受信することに応じて、又は、前記第１の複数のセンサノードの少なくとも１つの無線デバイスから前記第１のスケジュールされたタイミングの期間中に少なくとも１つの理解不能な通信を受信することに応じて、前記第１の複数のセンサノードの少なくとも２つの無線デバイスについて、前記送信機の送信動作を可能とし前記受信機の受信動作を可能とする異なる第２のスケジュールされたタイミングを決定するステップを更に含む請求項１３に記載の方法。
【請求項１５】
前記ハブの前記処理ユニットによって、前記第１のスケジュールされたタイミングのためのタイムスロットを定義する非反復タイムスロット定義信号を送信するステップを更に含む請求項１３に記載の方法。
【請求項１６】
前記ハブは、最初は前記周期的なビーコン信号の少なくとも１つ、及び、前記第１のスケジュールされたタイミングを伴う前記タイムスロット定義信号を送信し、その後、前記ビーコン信号は、衝突の検出又は新たなノードの検出に応じて、前記第２のスケジュールされたタイミングを含む請求項１５に記載の方法。
【請求項１７】
前記第１の複数のセンサノードの各無線デバイスについて、前記送信機の送信動作を可能とし前記受信機の受信動作を可能とする前記第１のスケジュールされたタイミングは、前記周期的なビーコン信号と前記第１の複数のセンサノードの通信との間のタイミングの関係に基づいて決定される請求項１３に記載の方法。
【請求項１８】
無線ネットワークアーキテクチャのためのセンサノードであって、
少なくとも１つのセンサと、
命令を記憶するメモリと、
前記メモリ及び前記少なくとも１つのセンサと結合されており、前記少なくとも１つのセンサから受信するデータを処理するための命令、及び、前記センサノードのための通信を処理するための命令を実行する処理ロジックと、
前記処理ロジックと結合されており、前記無線ネットワークアーキテクチャにおいてハブに対して通信を送信し、前記ハブからの通信を受信するための送信機及び受信機の機能を含む無線周波数（ＲＦ）回路と、を備え、
前記処理ロジックは、命令を実行して、
前記ハブから周期的なビーコン信号を受信するように、かつ、
前記周期的なビーコン信号に基づいて、前記送信機の機能が送信ウィンドウの間において無線通信を送信することを可能とし前記受信機の機能が別の受信ウィンドウの間において無線通信を受信することを可能とする第１のスケジュールされたタイミングを用いて定められるタイムスロット定義信号を受信するように、構成され、
前記タイムスロット定義信号は前記周期的なビーコン信号から分離されている、
センサノード。
【請求項１９】
前記センサノードの前記処理ロジックは、前記第１のスケジュールされたタイミングのためのタイムスロットを定義する非反復タイムスロット定義信号を受信するように構成されている請求項１８に記載のセンサノード。
【請求項２０】
前記センサノードの前記処理ロジックは、前記送信機の機能の送信動作を可能とし、前記受信機の機能の受信動作を可能とする異なる第２のスケジュールされたタイミングを受信するように構成されている請求項１８に記載のセンサノード。